(57)【要約】  角度検出器は、環状の検出器回転子、及び検出器回転子の内側に配置される環状の検出器固定子を備えている。検出器固定子は、環状の固定子鉄心と、固定子鉄心に設けられた複数のコイルとを有している。固定子鉄心は、複数のコイルが設けられた環状の第１の固定子鉄心部と、第１の固定子鉄心部の内側に配置される環状の第２の固定子鉄心部とを有している。第２の固定子鉄心部の外周部は、第１の固定子鉄心部の内周部に嵌る。固定子鉄心には、第１の固定子鉄心部の内周部と第２の固定子鉄心部の外周部との境界と交差する固定子長穴が設けられている。
2020026438.tif 000002
【特許請求の範囲】
【請求項１】
環状の検出器回転子、及び
前記検出器回転子の内側に配置される環状の検出器固定子
を備え、
前記検出器固定子は、環状の固定子鉄心と、前記固定子鉄心に設けられた複数のコイルとを有し、
前記固定子鉄心は、前記複数のコイルが設けられた環状の第１の固定子鉄心部と、前記第１の固定子鉄心部の内側に配置される環状の第２の固定子鉄心部とを有し、
前記第２の固定子鉄心部の外周部は、前記第１の固定子鉄心部の内周部に嵌り、
前記固定子鉄心には、前記第１の固定子鉄心部の内周部と前記第２の固定子鉄心部の外周部との境界と交差する固定子長穴が設けられている角度検出器。
【請求項２】
前記第１の固定子鉄心部の内周部、及び前記第２の固定子鉄心部の外周部のうち、一方には、凹部が設けられ、他方には、前記凹部に嵌る凸部が設けられている請求項１に記載の角度検出器。
【請求項３】
前記検出器回転子、前記第１の固定子鉄心部及び前記第２の固定子鉄心部のそれぞれは、複数の板状のコア片が積層された積層体である請求項１又は請求項２に記載の角度検出器。
【請求項４】
請求項３に記載の角度検出器を製造する方法であって、
同一の薄板に対するプレス加工により、前記検出器回転子、前記第１の固定子鉄心部及び前記第２の固定子鉄心部のそれぞれの前記コア片を形成する角度検出器の製造方法。
【発明の詳細な説明】
【技術分野】
【０００１】
この発明は、モータ、発電機などに含まれる回転子の回転角度を検出する角度検出器、及び角度検出器の製造方法に関するものである。
【背景技術】
【０００２】
従来、軸として用いられているハウジングを囲んで配置されたモータロータの回転角度を検出するために、円環状のレゾルバロータをモータロータに固定するとともに、円環状のレゾルバステータコアをハウジングに固定し、レゾルバステータコアをレゾルバロータの内側に配置したレゾルバが知られている。モータロータの回転角度は、レゾルバステータコアに設けられた複数のコイルに生じる誘導起電力に基づいて検出される（例えば特許文献１参照）。
【先行技術文献】
【特許文献】
【０００３】
【特許文献１】特許第５８９２１９６号公報
【発明の概要】
【発明が解決しようとする課題】
【０００４】
特許文献１に示されている従来のレゾルバでは、軸として用いられているハウジングにレゾルバステータが固定されている。このため、ハウジングの外径が互いに異なる複数のモータに対しては、各ハウジングの外径に合わせた複数種類のレゾルバステータコアを準備する必要がある。従って、レゾルバステータコアの種類が多くなってしまい、レゾルバの製造コストが高くなってしまう。【０００５】
この発明は、上記のような課題を解決するためになされたものであり、コストの低減化を図ることができる角度検出器、及び角度検出器の製造方法を得ることを目的とする。
【課題を解決するための手段】
【０００６】
この発明による角度検出器は、環状の検出器回転子、及び検出器回転子の内側に配置される環状の検出器固定子を備え、検出器固定子は、環状の固定子鉄心と、固定子鉄心に設けられた複数のコイルとを有し、固定子鉄心は、複数のコイルが設けられた環状の第１の固定子鉄心部と、第１の固定子鉄心部の内側に配置される環状の第２の固定鉄心部とを有し、第２の固定子鉄心部の外周部は、第１の固定子鉄心部の内周部に嵌り、固定子鉄心には、第１の固定子鉄心部の内周部と第２の固定子鉄心部の外周部との境界と交差する固定子長穴が設けられている。
【発明の効果】
【０００７】
この発明による角度検出器、及び角度検出器の製造方法によれば、外径が異なる複数の固定軸のそれぞれに取り付け可能な検出器固定子を得ることができる。これにより、角度検出器のコストの低減化を図ることができる。
【図面の簡単な説明】
【０００８】
【図１】この発明の実施の形態１によるレゾルバが取り付けられている回転電機を示す斜視図である。
【図２】図１の回転電機を示す正面図である。
【図３】図２のＩＩＩ−ＩＩＩ線に沿った断面図である。
【図４】図２のレゾルバを示す斜視図である。
【図５】この発明の実施の形態１におけるプレス加工の第１工程によって形成される第２の基準穴、複数の固定子長穴及び複数の回転子取付穴を示すレイアウト図である。
【図６】この発明の実施の形態１におけるプレス加工の第２工程によって形成される境界を示すレイアウト図である。
【図７】この発明の実施の形態１におけるプレス加工の第３工程によって形成される第１の固定子鉄心部及び検出器回転子のそれぞれのコア片の外形を示すレイアウト図である。
【図８】図２の固定軸の外径よりも大きな外径を持つ固定軸にレゾルバを取り付けた状態を示す正面図である。
【図９】図８のＩＸ−ＩＸ線に沿った断面図である。
【図１０】図３の固定軸に検出器固定子を固定する固定ボルトと、図９の固定軸に検出器固定子を固定する固定ボルトとの位置関係を示す断面図である。
【図１１】比較例によるレゾルバが取り付けられている回転電機を示す正面図である。
【図１２】図１１のＸＩＩ−ＸＩＩ線に沿った断面図である。
【図１３】図１１のレゾルバを示す斜視図である。
【図１４】比較例におけるプレス加工によって形成される検出器回転子及び固定子鉄心のそれぞれのコア片の外形を示すレイアウト図である。
【図１５】本体軸部の外径がバックヨーク部の外径よりも大きい固定軸に図１３のレゾルバが取り付けられている状態を示す断面図である。
【図１６】この発明の実施の形態２によるレゾルバが取り付けられている回転電機を示す正面図である。
【図１７】この発明の実施の形態２におけるプレス加工の第３工程によって形成される第１の固定子鉄心部及び第２の固定子鉄心部のそれぞれのコア片の外形を示すレイアウト図である。
【発明を実施するための形態】
【０００９】
以下、この発明の実施の形態について図面を参照して説明する。
実施の形態１．
図１は、この発明の実施の形態１によるレゾルバが取り付けられている回転電機を示す斜視図である。また、図２は、図１の回転電機を示す正面図である。さらに、図３は、図２のＩＩＩ−ＩＩＩ線に沿った断面図である。図において、回転電機１は、図示しない支持部材に固定された固定軸２と、固定軸２に軸受３を介して回転可能に支持された筒状の回転電機回転子４と、回転電機回転子４の内側に配置された図示しない電機子である回転電機固定子とを有している。
【００１０】
固定軸２は、図３に示すように、本体軸部５と、本体軸部５の端面から突出する突出軸部６とを有している。突出軸部６は、本体軸部５と同軸に配置されている。また、突出軸部６の外径は、本体軸部５の外径よりも小さくなっている。これにより、固定軸２には、本体軸部５の端面と突出軸部６の外周面とによって段差部７が固定軸２の周方向に沿って形成されている。
【００１１】
回転電機回転子４は、回転電機固定子に対して固定軸２の軸線を中心に回転可能になっている。回転電機１では、回転電機固定子への給電が行われることにより、回転電機回転子４が回転電機固定子に対して回転する。回転電機回転子４は、固定軸２が通された円筒状のボス部８を有している。軸受３は、ボス部８の内周面と本体軸部５の外周面との間に嵌められている。
【００１２】
回転電機１には、回転電機回転子４の回転角度を検出する角度検出器であるレゾルバ１１が設けられている。レゾルバ１１は、回転電機回転子４のボス部８に固定された環状の検出器回転子１２と、固定軸２に固定された環状の検出器固定子１３とを有している。
【００１３】
図４は、図２のレゾルバ１１を示す斜視図である。検出器回転子１２は、磁性材料で構成された円環状の回転子鉄心である。検出器回転子１２の内周面には、検出器回転子１２の周方向へ等間隔に並ぶ複数の凸部が形成されている。
【００１４】
検出器回転子１２には、複数の回転子取付穴１４が周方向へ互いに間隔を置いて設けられている。各回転子取付穴１４は、検出器回転子１２を貫通している。この例では、各回転子取付穴１４が丸穴になっている。
【００１５】
検出器回転子１２は、図３に示すように、各回転子取付穴１４にそれぞれ通された複数の固定ボルト１５によって回転電機回転子４のボス部８に固定されている。また、検出器回転子１２は、固定軸２と同軸に配置されている。これにより、検出器回転子１２は、固定軸２の軸線を中心に回転電機回転子４と一体に回転する。
【００１６】
検出器固定子１３は、検出器回転子１２の内側に配置されている。これにより、検出器固定子１３の外周部は、固定軸２の径方向において検出器回転子１２の内周部と隙間を介して対向している。また、検出器固定子１３は、固定軸２に固定された環状の固定子鉄心１６と、固定子鉄心１６に設けられた複数のコイル１７とを有している。
【００１７】
固定子鉄心１６は、環状の第１の固定子鉄心部１８と、第１の固定子鉄心部１８の内側に配置された環状の第２の固定子鉄心部１９とを有している。第１の固定子鉄心部１８及び第２の固定子鉄心部１９のそれぞれは、固定軸２と同軸に配置されている。この例では、第１の固定子鉄心部１８及び第２の固定子鉄心部１９のそれぞれの形状が円環状になっている。
【００１８】
第１の固定子鉄心部１８には、第１の固定子鉄心部１８の内周部で囲まれた第１の基準穴が形成されている。第２の固定子鉄心部１９には、第２の固定子鉄心部１９の内周部で囲まれた第２の基準穴が形成されている。第１の基準穴の内径は、第２の基準穴の内径よりも大きくなっている。
【００１９】
第１の固定子鉄心部１８は、円環状のバックヨーク部２０と、バックヨーク部２０の外周部から径方向外側へ突出する複数のティース部２１とを有している。複数のティース部２１は、第１の固定子鉄心部１８の周方向へ等間隔に設けられている。
【００２０】
複数のコイル１７は、複数のティース部２１に個別に設けられている。これにより、複数のコイル１７は、第１の固定子鉄心部１８の周方向へ等間隔に並んでいる。レゾルバ１１では、検出器回転子１２が回転すると、検出器回転子１２の回転に応じた誘導起電力が複数のコイル１７に生じる。回転電機回転子４の回転角度は、複数のコイル１７に生じる誘導起電力に応じた信号に基づいて検出される。
【００２１】
第２の固定子鉄心部１９の外周部は、第１の固定子鉄心部１８の内周部に隙間なく嵌っている。また、第２の固定子鉄心部１９は、第１の固定子鉄心部１８から取り外し可能になっている。第２の固定子鉄心部１９の外周部が第１の固定子鉄心部１８の内周部に嵌った状態では、第１の固定子鉄心部１８が第２の固定子鉄心部１９と同軸に配置されている。この例では、図２に示すように、第１の固定子鉄心部１８の内周部と第２の固定子鉄心部１９の外周部との境界２２の形状が円形状になっている。
【００２２】
検出器回転子１２、第１の固定子鉄心部１８及び第２の固定子鉄心部１９のそれぞれは、複数の板状のコア片が積層された積層体である。検出器回転子１２、第１の固定子鉄心部１８及び第２の固定子鉄心部１９のそれぞれにおけるコア片の積層方向は、固定軸２の軸線方向に一致している。これにより、検出器回転子１２、第１の固定子鉄心部１８及び第２の固定子鉄心部１９のそれぞれにおける渦電流による鉄損の増加が抑制されている。この例では、コア片としての薄板を積層して構成された積層鋼板が、検出器回転子１２、第１の固定子鉄心部１８及び第２の固定子鉄心部１９のそれぞれとして用いられている。
【００２３】
固定子鉄心１６には、図４に示すように、第１の固定子鉄心部１８の内周部と第２の固定子鉄心部１９の外周部との境界２２と交差する複数の固定子長穴２３が取付用の穴として設けられている。即ち、第１の固定子鉄心部１８の内周部には、径方向内側へ開放された複数の第１の切欠き部が設けられている。第２の固定子鉄心部１８の外周部には、径方向外側へ開放された複数の第２の切欠き部が設けられている。第２の固定子鉄心部１９の外周部が第１の固定子鉄心部１８の内周部に嵌った状態では、各第１の切欠き部の位置と各第２の切欠き部の位置とが周方向に一致することにより、複数の固定子長穴２３が固定子鉄心１６に形成されている。複数の固定子長穴２３は、固定子鉄心１６の周方向へ互いに間隔を置いて設けられている。この例では、各固定子長穴２３の長径方向が固定子鉄心１６の径方向と一致している。
【００２４】
固定子鉄心１６は、図３に示すように、第２の固定子鉄心部１９の内側に突出軸部６が通された状態で段差部７に配置されている。また、固定子鉄心１６は、各固定子長穴２３に通された複数の固定ボルト２４によって本体軸部５の端面に固定されている。各固定ボルト２４は、図２に示すように、境界２２を跨ぐ位置で第１の固定子鉄心部１８の内周部及び第２の固定子鉄心部１９の外周部をまとめて本体軸部５の端面に固定している。
【００２５】
この例では、突出軸部６の外径が第２の固定子鉄心部１９の第２の基準穴の内径と一致している。従って、突出軸部６の外周面が第２の固定子鉄心部１９の内周部に隙間なく嵌っている。これにより、固定軸２に対する固定子鉄心１６の位置決めが固定軸２の径方向において行われている。
【００２６】
次に、検出器回転子１２及び固定子鉄心１６の製造方法について説明する。検出器回転子１２及び固定子鉄心１６を製造するときには、まず検出器回転子１２、第１の固定子鉄心部１８及び第２の固定子鉄心部１９のそれぞれのコア片を作製する。検出器回転子１２、第１の固定子鉄心部１８及び第２の固定子鉄心部１９のそれぞれのコア片は、磁性材料で構成された同一の薄板に対してプレス加工を行うことによって形成する。薄板に対するプレス加工では、金型を用いて薄板からコア片を打ち抜く。
【００２７】
また、検出器回転子１２、第１の固定子鉄心部１８及び第２の固定子鉄心部１９のそれぞれのコア片を作製するときには、第２の固定子鉄心部１９の第２の基準穴、固定子鉄心１６の各固定子長穴２３、及び検出器回転子１２の各回転子取付穴１４を薄板から打ち抜く第１工程を行う。この後、第１の固定子鉄心部１８と第２の固定子鉄心部１９との境界２２を薄板に形成する第２工程を行う。この後、検出器回転子１２及び固定子鉄心１６のそれぞれのコア片の外形を薄板から打ち抜く第３工程を行う。
【００２８】
図５は、この発明の実施の形態１におけるプレス加工の第１工程によって形成される第２の基準穴、複数の固定子長穴２３及び複数の回転子取付穴１４を示すレイアウト図である。第１工程では、金型を用いることにより、第２の固定子鉄心部１９の第２基準穴、検出器回転子１２の各回転子取付穴１４及び固定子鉄心１６の各固定子長穴２３を薄板１００から打ち抜く。これにより、薄板１００のうち、固定子鉄心１６の内側の部分１０３、各回転子取付穴１４の内側の部分１０４、各固定子長穴２３の内側の部分１０５のそれぞれが端材となる。
【００２９】
図６は、この発明の実施の形態１におけるプレス加工の第２工程によって形成される境界２２を示すレイアウト図である。第２工程では、金型を用いることにより、第２の固定子鉄心部１９のコア片の外形を薄板１００から打ち抜いて、第１の固定子鉄心部１８と第２の固定子鉄心部１９との境界２２を薄板１００に形成する。このとき、金型内で第２の固定子鉄心部１９を薄板１００に対して一度打ち抜いてから、第２の固定子鉄心部１９を薄板１００の内側に戻すプッシュバック加工を行う。これにより、第２の固定子鉄心部１９の外周部が境界２２で薄板１００に接触した状態で薄板１００から第２の固定子鉄心部１９が打ち抜かれる。
【００３０】
図７は、この発明の実施の形態１におけるプレス加工の第３工程によって形成される第１の固定子鉄心部１８及び検出器回転子１２のそれぞれのコア片の外形を示すレイアウト図である。第３工程では、金型を用いることにより、検出器回転子１２及び固定子鉄心１６のそれぞれのコア片の外形を薄板１００から打ち抜く。これにより、検出器回転子１２のコア片の外側の部分１０１、及び検出器回転子１２のコア片と固定子鉄心１６のコア片との間の部分１０２が端材となる。検出器回転子１２、第１の固定子鉄心部１８及び第２の固定子鉄心部１９のそれぞれのコア片が薄板１００から打ち抜かれた後に残った端材１０１〜１０５は、廃棄される。
【００３１】
この後、検出器回転子１２、第１の固定子鉄心部１８及び第２固定子鉄心部１９のそれぞれのコア片を積層することにより、検出器回転子１２及び固定子鉄心１６が完成する。
【００３２】
この後、固定子鉄心１６の各ティース部２１のそれぞれにコイル１７を設けることによりレゾルバ１１が完成する。
【００３３】
次に、固定軸２の本体軸部５及び突出軸部６のそれぞれの外径が図２に示す固定軸２よりも大きくなっている回転電機１にレゾルバ１１を取り付ける場合について説明する。図８は、図２の固定軸２の外径よりも大きな外径を持つ固定軸２にレゾルバ１１を取り付けた状態を示す正面図である。また、図９は、図８のＩＸ−ＩＸ線に沿った断面図である。図８及び図９に示す固定軸２の本体軸部５の外径Ｄ２は、図２及び図３に示す固定軸２の本体軸部５の外径Ｄ１よりも大きくなっている。また、図８及び図９に示す固定軸２の突出軸部６の外径も、図２及び図３に示す固定軸２の本体軸部５の外径よりも大きくなっている。さらに、図８及び図９に示す本体軸部５の外径Ｄ２は、第１の固定子鉄心部１８の内径、即ち第１の基準穴の内径よりも大きくなっている。また、図８及び図９に示す突出軸部６の外径は、第２の固定子鉄心部１９の内径、即ち第２の基準穴の内径よりも大きくなっている。
【００３４】
回転電機１の突出軸部６の外径が第２の固定子鉄心部１９の内径、即ち第２の基準穴の内径よりも大きい場合には、第２の固定子鉄心部１９の内側に突出軸部６を通すことができない。この場合には、第２の固定子鉄心部１９が第１の固定子鉄心部１８から外された状態で、検出器固定子１３が固定軸２に取り付けられる。
【００３５】
第２の固定子鉄心部１９が第１の固定子鉄心部１８から外された状態では、第２の固定子鉄心部１９が第１の固定子鉄心部１８の内側からなくなっていることから、第１の固定子鉄心部１８の内側に突出軸部６を通すことが可能になっている。また、第２の固定子鉄心部１９が第１の固定子鉄心部１８から外された状態では、各固定子長穴２３の径方向内側の部分がなくなることにより、第１の固定子鉄心部１８の内周部に形成された複数の第１の切欠き部が第１の基準穴内へ開放されている。
【００３６】
突出軸部６の外径が第２の固定子鉄心部１９の内径よりも大きい場合には、第２の固定子鉄心部１９が第１の固定子鉄心部１８から外され、かつ第１の固定子鉄心部１８の内側に突出軸部６が通された状態で、固定子鉄心１６が段差部７に配置される。また、突出軸部６の外径が第２の固定子鉄心部１９の内径よりも大きい場合には、第１の固定子鉄心部１８の内周部に形成されている各第１の切欠き部に通された複数の固定ボルト２４によって固定子鉄心１６が本体軸部５の端面に固定される。
【００３７】
第１の固定子鉄心部１８の内径は、図８及び図９に示すように、外径Ｄ２を持つ本体軸部５の端面から突出する突出軸部６の外径と一致している。従って、外径Ｄ２を持つ本体軸部５の端面から突出する突出軸部６が第１の固定子鉄心部１８の内側に通されると、突出軸部６の外周面が第１の固定子鉄心部１８の内周部に隙間なく嵌る。これにより、固定軸２に対する固定子鉄心１６の位置決めが固定軸２の径方向において行われる。
【００３８】
図１０は、図３の固定軸２に検出器固定子１３を固定する固定ボルト２４と、図９の固定軸２に検出器固定子１３を固定する固定ボルト２４との位置関係を示す断面図である。図１０に示すように、本体軸部５の外径がＤ２となっている固定軸２に検出器固定子１３を固定する固定ボルト２４の位置は、本体軸部５の外径がＤ２よりも小さいＤ１となっている固定軸２に検出器固定子１３を固定する固定ボルト２４の位置よりも、距離ｔだけ径方向外側に位置している。これにより、突出軸部６の外径が大きくなっても、固定ボルト２４が突出軸部６と干渉することが回避される。
【００３９】
次に、本実施の形態によるレゾルバ１１と比較するための比較例によるレゾルバについて説明する。図１１は、比較例によるレゾルバが取り付けられている回転電機を示す正面図である。また、図１２は、図１１のＸＩＩ−ＸＩＩ線に沿った断面図である。さらに、図１３は、図１１のレゾルバを示す斜視図である。比較例によるレゾルバ１１ａの構成のうち、検出器固定子１３ａ以外の構成は、本実施の形態によるレゾルバ１１の構成と同様である。
【００４０】
比較例によるレゾルバ１１ａの検出器固定子１３ａは、環状の固定子鉄心３１と、固定子鉄心３１に設けられた複数のコイル１７とを有している。比較例による複数のコイル１７の構成は、本実施の形態のコイル１７と同様である。
【００４１】
比較例による固定子鉄心３１は、円環状のバックヨーク部３１ａと、バックヨーク部３１ａの外周部から径方向外側へ突出する複数のティース部３１ｂとを有している。固定子鉄心３１には、バックヨーク部３１ａの内周部で囲まれた基準穴が形成されている。複数のティース部３１ｂは、固定子鉄心３１の周方向へ等間隔に設けられている。また、比較例による固定子鉄心３１は、本実施の形態と同様に、複数の板状のコア片が積層された積層体になっている。
【００４２】
バックヨーク部３１ａには、図１３に示すように、複数の固定子取付穴３２が形成されている。複数の固定子取付穴３２は、固定子鉄心３１の周方向へ互いに間隔を置いて配置されている。各固定子取付穴３２は、丸穴である。
【００４３】
検出器固定子１３ａが回転電機１の固定軸２に取り付けられるときには、バックヨーク部３１ａの内側に突出軸部６が通された状態で固定子鉄心３１が段差部７に配置される。また、検出器固定子１３ａが固定軸２に取り付けられるときには、各固定子取付穴３２に通された複数の固定ボルト２４によって固定子鉄心３１が本体軸部５の端面に固定される。
【００４４】
固定軸２の本体軸部５の外径がバックヨーク部３１ａの外径よりも小さい場合には、図１２に示すように、検出器固定子１３ａが固定軸２に取り付けられた状態で各コイル１７が本体軸部５の外周面よりも径方向外側に配置される。従って、この場合には、各コイル１７が本体軸部５に干渉することなく、検出器固定子１３ａが固定軸２に取り付けられる。
【００４５】
比較例によるレゾルバ１１ａの検出器回転子１２及び固定子鉄心３１のそれぞれを製造するときには、コア片を作製した後、作製したコア片を積層する。検出器回転子１２及び固定子鉄心３１のそれぞれのコア片を作製するときには、検出器回転子１２及び固定子鉄心３１のそれぞれのコア片の外形を同一の薄板から打ち抜くプレス加工を行う。比較例では、検出器回転子１２及び固定子鉄心３１のそれぞれのコア片を作製するときに、プッシュバック加工を含む第２工程は行わない。
【００４６】
図１４は、比較例におけるプレス加工によって形成される検出器回転子１２及び固定子鉄心３１のそれぞれのコア片の外形を示すレイアウト図である。比較例では、検出器回転子１２及び固定子鉄心３１のそれぞれのコア片の外形が薄板１００から打ち抜かれるときに、各回転子取付穴１４及び各固定子取付穴３２も同時に薄板１００から打ち抜かれる。これにより、薄板１００のうち、検出器回転子１２のコア片の外側の部分１０１、検出器回転子１２のコア片と固定子鉄心３１のコア片との間の部分１０２、固定子鉄心３１の内側の部分１０３、回転子取付穴１４の内部１０４及び固定子取付穴の内部１０５のそれぞれが端材となる。検出器回転子１２及び固定子鉄心３１のそれぞれのコア片が薄板１００から打ち抜かれた後に残った端材１０１〜１０５は、廃棄される。
【００４７】
図７と図１４とを比較すると、本実施の形態による第２の固定子鉄心部１９のコア片は、比較例では廃棄されている図１４の端材１０３の一部を利用して作製されていることが分かる。従って、本実施の形態では、コア片を作製するときに薄板１００から出る端材の量が比較例に比べて少なくなる。また、コア片を作製するために必要な薄板１００の大きさは、本実施の形態と比較例とで同等である。
【００４８】
図１５は、本体軸部５の外径がバックヨーク部３１ａの外径よりも大きい固定軸２に図１３のレゾルバ１１ａが取り付けられている状態を示す断面図である。固定軸２の本体軸部５の外径がバックヨーク部３１ａの外径よりも大きい場合には、検出器固定子１３ａを固定軸２に取り付けるときに、各コイル１７が本体軸部５の端面と干渉するおそれがある。このため、固定軸２の本体軸部５の外径がバックヨーク部３１ａの外径よりも大きい場合には、各コイル１７との干渉を回避するための周方向溝３３が本体軸部５の端面の外周部に形成される。従って、本体軸部５の外径がバックヨーク部３１ａの外径よりも大きい固定軸２に比較例による検出器固定子１３ａを取り付けるためには、固定軸２の本体軸部５の端面の外周部に周方向溝３３を形成する加工をすることが必要である。
【００４９】
また、本体軸部５の外径がバックヨーク部３１ａの外径よりも大きい固定軸２に比較例による検出器固定子１３ａを取り付ける場合、固定軸２の本体軸部５に周方向溝３３を形成する加工を不要にするためには、バックヨーク部３１ａの外径を本体軸部５の外径よりも大きくした別の固定子鉄心３１を製造したり、本体軸部５の端面とバックヨーク部３１ａとの間に介在させる別部品であるブラケットを追加したりする必要がある。
【００５０】
これに対して、本実施の形態によるレゾルバ１１では、第２の固定子鉄心部１９の外周部が第１の固定子鉄心部１８の内周部に嵌るようになっている。また、第１の固定子鉄心部１８の内周部と第２の固定子鉄心部１９の外周部との境界２２と交差する固定子長穴２３が固定子鉄心１６に設けられている。
【００５１】
このため、第２の固定子鉄心部１９の内径が固定軸２の突出軸部６の外径よりも大きい場合には、第２の固定子鉄心部１９の内側に突出軸部６を通した状態で検出器固定子１３を固定軸２に取り付けることができる。また、第２の固定子鉄心部１９の内径が固定軸２の突出軸部６の外径よりも小さい場合には、第２の固定子鉄心部１９を第１の固定子鉄心部１８から外して、第１の固定子鉄心部１８の内側に突出軸部６を通した状態で検出器固定子１３を固定軸２に取り付けることができる。即ち、外径が異なる複数の固定軸２のそれぞれに取り付け可能な検出器固定子１３を得ることができる。
【００５２】
これにより、外径が異なる複数の固定軸２のそれぞれに対応する複数の検出器固定子を製造したり、本体軸部５の端面と検出器固定子との間に介在させる別部品を追加したりする手間をなくすことができる。また、本体軸部５の端面の外周部に周方向溝３３を形成する加工を行う手間もなくすことができる。従って、レゾルバ１１及び回転電機１のそれぞれのコストの低減化を図ることができる。
【００５３】
また、検出器回転子１２、第１の固定子鉄心部１８及び第２の固定子鉄心部１９のそれぞれは、複数の板状のコア片が積層された積層体である。このため、検出器回転子１２、第１の固定子鉄心部１８及び第２の固定子鉄心部１９のそれぞれにおける渦電流による鉄損の増加を抑制することができる。また、検出器回転子１２、第１の固定子鉄心部１８及び第２の固定子鉄心部１９のそれぞれを容易に製造することができる。
【００５４】
また、本実施の形態によるレゾルバ１１の製造方法では、同一の薄板１００に対するプレス加工により、検出器回転子１２、第１の固定子鉄心部１８及び第２の固定子鉄心部１９のそれぞれのコア片を形成する。このため、検出器回転子１２、第１の固定子鉄心部１８及び第２の固定子鉄心部１９のそれぞれのコア片を同一の薄板１００から作製することができ、レゾルバ１１の製造コストの低減化を図ることができる。
【００５５】
実施の形態２．
図１６は、この発明の実施の形態２によるレゾルバが取り付けられている回転電機を示す正面図である。第１の固定子鉄心部１８の内周部には、凹部４１が設けられている。この例では、凹部４１の形状が矩形状になっている。また、この例では、凹部４１の深さ方向が固定子鉄心１６の径方向と一致している。
【００５６】
第２の固定子鉄心部１９の外周部には、凹部４１に嵌る凸部４２が設けられている。凸部４２は、凹部４１に隙間なく嵌っている。従って、この例では、凸部４２の形状が矩形状になっている。また、凸部４２は、第２の固定子鉄心部１９から径方向外側へ突出している。凸部４２は、第１の固定子鉄心部１８の内周部に第２の固定子鉄心部１９の外周部が嵌ることにより凹部４１に嵌る。他の構成は、実施の形態１と同様である。
【００５７】
本実施の形態によるレゾルバ１１の製造方法も、実施の形態１と同様である。従って、検出器回転子１２、第１の固定子鉄心部１８及び第２の固定子鉄心部１９のそれぞれのコア片は、磁性材料で構成された同一の薄板に対してプレス加工を行うことによって形成する。検出器回転子１２、第１の固定子鉄心部１８及び第２の固定子鉄心部１９のそれぞれのコア片を作製するときには、第２の固定子鉄心部１９の第２の基準穴、固定子鉄心１６の各固定子長穴２３、及び検出器回転子１２の各回転子取付穴１４を薄板から打ち抜く第１工程を行う。この後、第１の固定子鉄心部１８と第２の固定子鉄心部１９との境界２２を薄板に形成する第２工程を行う。この後、検出器回転子１２及び固定子鉄心１６のそれぞれのコア片の外形を薄板から打ち抜く第３工程を行う。
【００５８】
図１７は、この発明の実施の形態２におけるプレス加工の第３工程によって形成される第１の固定子鉄心部１８及び第２の固定子鉄心部１９のそれぞれのコア片の外形を示すレイアウト図である。プレス加工の第２工程では、実施の形態１と同様に、第１の固定子鉄心部１８の内周部のコア片と第２の固定子鉄心部１９のコア片との境界２２がプッシュバック加工によって形成される。また、プレス加工の第３工程によって形成される検出器回転子１２及び固定子鉄心１６のそれぞれのコア片の外形は、図７の検出器回転子１２及び固定子鉄心１６のそれぞれのコア片の外形と同様である。
【００５９】
第１の固定子鉄心部１８のコア片の内周部と第２の固定子鉄心部１９のコア片の外周部との境界２２の形状は、実施の形態１と異なり、円の一部が変形した形状になっている。第１の固定子鉄心部１８のコア片の内周部と第２の固定子鉄心部１９のコア片の外周部との境界２２のうち、円形から外れた部分は、凹部４１と凸部４２との境界として形成される。凹部４１及び凸部４２は、第１の固定子鉄心部１８及び第２の固定子鉄心部１９のそれぞれのコア片の形成と同時に形成される。
【００６０】
このようなレゾルバ１１では、凹部４１が第１の固定子鉄心部１８の内周部に設けられている。また、凹部４１に嵌る凸部４２が第２の固定子鉄心部１９の外周部に設けられている。このため、凸部４２を凹部４１に嵌めることにより、第１の固定子鉄心部１８に対する第２の固定子鉄心部１９の周方向の位置決めを容易に行うことができる。これにより、第１の固定子鉄心部１８の内周部に形成された各第１の切欠き部の位置と、第２の固定子鉄心部１９の外周部に形成された各第２の切欠き部の位置とを周方向に容易に一致させることができる。従って、レゾルバ１１を固定軸２に取り付ける作業を行うときに、各固定子長穴２３の形状が崩れることを防止することができ、固定ボルト２４によって検出器固定子１３を固定軸２に固定する作業を容易にすることができる。
【００６１】
なお、上記の例では、凹部４１が第１の固定子鉄心部１８の内周部に設けられ、凹部４１に嵌る凸部４２が第２の固定子鉄心部１９の外周部に設けられている。しかし、凹部４１を第２の固定子鉄心部１９の外周部に設け、凹部４１に嵌る凸部４２を第１の固定子鉄心部１８の内周部に設けてもよい。
【００６２】
また、上記の例では、凹部４１及び凸部４２のそれぞれの形状が矩形状になっている。しかし、これに限定されず、凹部４１及び凸部４２のそれぞれの形状を楕円形状、三角形状などにしてもよい。
【００６３】
また、上記の例では、凹部４１の深さ方向が固定子鉄心１６の径方向と一致しているが、凹部４１の深さ方向を固定子鉄心１６の径方向に対して周方向へ傾斜させてもよい。
【００６４】
また、各上記実施の形態では、各固定子長穴２３の長径方向が固定子鉄心１６の径方向と一致している。しかし、各固定子長穴２３の長径方向を固定子鉄心１６の径方向に対して周方向へ傾斜させてもよい。
【００６５】
また、各上記実施の形態では、固定子鉄心１６に設けられている固定子長穴２３の数が複数になっている。しかし、固定子長穴２３の数は、１個であってもよい。即ち、固定子鉄心１６に設けられている固定子長穴２３の数は、１個以上であればよい。
【符号の説明】
【００６６】
１１  レゾルバ（角度検出器）、１２  検出器回転子、１３  検出器固定子、１６  固定子鉄心、１７  コイル、１８  第１の固定子鉄心部、１９  第２の固定子鉄心部、２３  固定子長穴、４１  凹部、４２  凸部、１００  薄板。
【図１】
2020026438.tif 000003
【図２】
2020026438.tif 000004
【図３】
2020026438.tif 000005
【図４】
2020026438.tif 000006
【図５】
2020026438.tif 000007
【図６】
2020026438.tif 000008
【図７】
2020026438.tif 000009
【図８】
2020026438.tif 000010
【図９】
2020026438.tif 000011
【図１０】
2020026438.tif 000012
【図１１】
2020026438.tif 000013
【図１２】
2020026438.tif 000014
【図１３】
2020026438.tif 000015
【図１４】
2020026438.tif 000016
【図１５】
2020026438.tif 000017
【図１６】
2020026438.tif 000018
【図１７】
2020026438.tif 000019
【国際調査報告】
2020026438.tif 000020
2020026438.tif 000021